(57)【要約】【課題】  筐体のどの面部を翳してもリーダライタ装置との間の非接触通信を可能とする。【解決手段】  非接触ＩＣカードの非接触ＩＣアンテナ１５を、第１のアンテナエレメント３１と第２のアンテナエレメント３２とが互いに直行するかたちの立体的な形状とし、第１のアンテナエレメント３１を携帯電話機の筐体の、表示部５が設けられた面部と相対向する面部２１ｂの短手方向に沿って設け、第２のアンテナエレメント３２を筐体の左右いずれかの側面部に設けることで筐体内に立体配置する。リーダライタ装置に対して筐体の反表示部５側の面部（＝背面部）を翳した場合には第１のアンテナエレメント３１が機能し、筐体の表示部５が設けられた面部（＝正面部）を翳した場合には第２のアンテナエレメント３２が機能し、さらに筐体の側面部を翳した場合には第２のアンテナエレメント３２が機能してリーダライタ装置との間の良好な非接触通信を可能とする。【選択図】  図３
2007034390.tif 000002
【特許請求の範囲】
【請求項１】
筐体と、
上記筐体に収納される非接触通信回路と、
上記筐体のいずれかの面部に設けられた上記非接触通信回路の第１のアンテナエレメントと、
上記第１のアンテナエレメントと一体的に形成され、上記第１のアンテナエレメントが設けられた上記筐体の面部に隣接する面部に設けられた上記非接触通信回路の第２のアンテナエレメントとを有し、
上記一体的に形成された第１のアンテナエレメント及び第２のアンテナエレメントは、上記筐体内に立体的に配置されていること
を特徴とする携帯端末装置。
【請求項２】
請求項１に記載の携帯端末装置であって、
上記第１のアンテナエレメントは、上記筐体の表示部が設けられる面部に相対向する面部に設けられており、上記第２のアンテナエレメントは、上記筐体の一方の側面部に設けられており、
上記第１のアンテナエレメントと一体的に形成され、上記第２のアンテナエレメントが設けられる筐体の一方の側面部に略相対向する他方の側面部に設けられた上記非接触通信回路の第３のアンテナエレメントを有し、
上記一体的に形成された第１のアンテナエレメント、第２のアンテナエレメント及び第３のアンテナエレメントは、上記筐体内に立体的に配置されていること
を特徴とする携帯端末装置。
【請求項３】
請求項２に記載の携帯端末装置であって、
上記第１のアンテナエレメントと一体的に形成され、上記筐体の上面部に設けられた上記非接触通信回路の第４のアンテナエレメントを有し、或いはそれぞれ上記第１のアンテナエレメントと一体的に形成され、上記筐体の上面部に設けられた上記非接触通信回路の第４のアンテナエレメント及び上記筐体の上面部に略相対向する底面部に設けられた上記非接触通信回路の第５のアンテナエレメントを有し、
上記一体的に形成された第１のアンテナエレメント〜第４のアンテナエレメントは、上記筐体内に立体的に配置されており、或いは上記一体的に形成された第１のアンテナエレメント〜第５のアンテナエレメントは、上記筐体内に立体的に配置されていること
を特徴とする携帯端末装置。
【請求項４】
請求項１から請求項３のうち、いずれか一項に記載の携帯端末装置であって、
上記第１、第２のアンテナエレメント、又は上記第１〜第３のアンテナエレメント、又は上記第１〜第４のアンテナエレメント、若しくは上記第１〜第５のアンテナエレメントは、上記筐体内に設けられている電池パックとの干渉を回避する筐体内の位置にそれぞれ設けられていること
を特徴とする携帯端末装置。
【請求項５】
それぞれ可撓性を有する部材により一体的に形成された、少なくとも第１のアンテナエレメント及び第２のアンテナエレメントを備えた非接触通信回路のアンテナエレメントのうち、上記第１のアンテナエレメントを上記非接触通信回路が収納される筐体のいずれかの面部に配置し、
上記第２のアンテナエレメントを、上記第１のアンテナエレメントが設けられた上記筐体の面部に隣接する面部に配置することで、
上記非接触通信回路のアンテナエレメントを上記筐体内に立体的に配置すること
を特徴とする非接触通信回路のアンテナエレメントの配置方法。
【発明の詳細な説明】
【技術分野】
【０００１】
本発明は、非接触通信機能を備えた、例えば携帯電話機，ＰＨＳ電話機（PHS：Personal Handyphone System）、ＰＤＡ装置（PDA：Personal Digital Assistant），ノート型のパーソナルコンピュータ装置等に適用して好適な携帯端末装置に関し、特に非接触通信機能のアンテナ部分を筐体に対して三次元配置することで、リーダライタ装置に対して当該携帯端末装置をどのように翳しても、リーダライタ装置との間で良好な通信を可能とした携帯端末装置及び非接触通信回路のアンテナエレメントの配置方法に関する。
【背景技術】
【０００２】
今日において、リーダライタ装置との間で非接触通信を行う非接触ＩＣカードが知られている。この非接触ＩＣカードは、リーダライタ装置に対して約３ｍｍ〜５０ｍｍ程度近づけることで、リーダライタ装置のアンテナから発信される制御信号を含む電波を受信可能となっている。非接触ＩＣカードのアンテナでリーダライタ装置から発信される上記電波が受信されると、当該非接触ＩＣカードのアンテナの共振作用により起電力が発生する。非接触ＩＣカードは、この発生した電力を用いて当該非接触ＩＣカード側の回路を起動し、リーダライタ装置との間で通信を行う。
【０００３】
近年においては、このような非接触ＩＣカードが、電車の定期券として用いられ、或いは金銭情報がチャージされてユーザの財布代わりに用いられており、今後、益々普及することが期待されている。
【０００４】
ここで、特開２００２−３２４２２０号の公開特許公報（特許文献１）において、非接触ＩＣカードのアンテナ配置を工夫して、筐体の厚みの薄型化を図った通信装置が開示されている。この通信装置の場合、通常、筐体内に設けられる非接触ＩＣカードのアンテナ部分を、該筐体の背面側に突出させて設けることで、この非接触ＩＣカードのアンテナ部分を筐体内に設けなくてよい分、筐体自体の薄型化が可能となっている。
【０００５】
【特許文献１】特開２００２−３２４２２０号公報（第４頁：図３）
【発明の開示】
【発明が解決しようとする課題】
【０００６】
しかし、特許文献１に開示されている通信装置は、非接触ＩＣカードのアンテナ部分を、筐体の背面側に突出させて設けているため、当該通信装置の筐体の背面側をリーダライタ装置と相対向させた場合には、該リーダライタ装置との間で良好な通信を行うことができるのであるが、当該通信装置の筐体の正面側をリーダライタ装置と相対向させると、該リーダライタ装置との間の通信が困難となる問題があった。
【０００７】
すなわち、通信装置の筐体の正面側をリーダライタ装置と相対向させた場合には、リーダライタ装置から発信される電波のうち、筐体内を通過した電波、及び筐体を回り込んだ電波を上記非接触ＩＣカードのアンテナで受信する必要がある。このため、非接触ＩＣカードのアンテナで受信できる上記リーダライタ装置からの電波が弱いものとなり、或いは上記リーダライタ装置からの電波を非接触ＩＣカードのアンテナで受信することができず、該リーダライタ装置との間の通信が困難となる問題があった。
【０００８】
なお、筐体の表面側と筐体の背面側にそれぞれアンテナを設けることで、リーダライタ装置に対して筐体の表面側を翳した場合、及びリーダライタ装置に対して筐体の背面側を翳した場合、いずれの場合も良好な通信が可能となることが予測される。
【０００９】
しかし、この場合、筐体に対して２つのアンテナを設けるための設置面積が必要となるため、筐体の表面側及び筐体の背面側のうち、いずれか一方にアンテナを設ける場合よりもアンテナを設置するための約２倍の設置面積が必要となる問題を生ずる。また、２つのアンテナを駆動するための回路構成が複雑になるうえ、各アンテナ性能の最適化が難しくなる問題を生ずる。
【００１０】
本発明は上述の課題に鑑みてなされたものであり、複数のアンテナエレメントを設けることなく、リーダライタ装置に対してどのようなかたちで翳しても、該リーダライタ装置との間で良好な通信を行うことができるような携帯端末装置及び非接触通信回路のアンテナエレメントの配置方法の提供を目的とする。
【課題を解決するための手段】
【００１１】
本発明に係る携帯端末装置は、上述の課題を解決するための手段として、
筐体と、
上記筐体に収納される非接触通信回路と、
上記筐体のいずれかの面部に設けられた上記非接触通信回路の第１のアンテナエレメントと、
上記第１のアンテナエレメントと一体的に形成され、上記第１のアンテナエレメントが設けられた上記筐体の面部に隣接する面部に設けられた上記非接触通信回路の第２のアンテナエレメントとを有する。
【００１２】
そして、上記一体的に形成された第１のアンテナエレメント及び第２のアンテナエレメントを上記筐体内に立体的に配置している。
【００１３】
また、本発明に係る非接触通信回路のアンテナエレメントの配置方法は、上述の課題を解決するために、
それぞれ可撓性を有する部材により一体的に形成された、少なくとも第１のアンテナエレメント及び第２のアンテナエレメントを備えた非接触通信回路のアンテナエレメントのうち、上記第１のアンテナエレメントを上記非接触通信回路が収納される筐体のいずれかの面部に配置し、
上記第２のアンテナエレメントを、上記第１のアンテナエレメントが設けられた上記筐体の面部に隣接する面部に配置する。
【００１４】
このような本発明は、可撓性を有する部材により、少なくとも第１のアンテナエレメント及び第２のアンテナエレメントを一体的に形成することで非接触通信回路のアンテナエレメントを形成し、上記第１のアンテナエレメントを上記非接触通信回路が収納される筐体のいずれかの面部に配置し、上記第２のアンテナエレメントを、上記第１のアンテナエレメントを設けた上記筐体の面部に隣接する面部に配置することで、筐体に対して非接触通信回路のアンテナエレメントを立体的に配置する。
【００１５】
これにより、リーダライタ装置に対して上記第１のアンテナエレメントが設けられている筐体の面部を翳した場合には、該面部に配置された第１のアンテナエレメントでリーダライタ装置との間の通信が可能となり、リーダライタ装置に対して上記第２のアンテナエレメントが設けられている筐体の面部を翳した場合には、該面部に配置された第２のアンテナエレメントでリーダライタ装置との間の通信が可能となる。従って、リーダライタ装置に対して筐体を、略々どのような翳し方をしても、リーダライタ装置と非接触通信回路との間で良好な通信を可能とすることができる。
【発明の効果】
【００１６】
本発明は、非接触通信回路のアンテナエレメントを筐体に対して立体的（３次元的）に配置することにより、非接触通信回路のアンテナエレメントが単体であるにもかかわらず、リーダライタ装置に対して機器の筐体をどのようなかたちで翳しても、該リーダライタ装置と非接触通信回路との間で良好な通信を可能とすることができる。
【発明を実施するための最良の形態】
【００１７】
本発明は、携帯電話機に適用することができる。
【００１８】
［第１の実施の形態］
〔携帯電話機の構成〕
本発明の第１の実施の形態となる携帯電話機は、図１に示すように携帯事業者のコミュニケーションネットワークに接続された基地局との間でデータの送受信を行う無線通信用アンテナ１及び通信回路２と、受話音声，動画ファイルの音声，音楽データの音声等の音声出力を得るためのスピーカ部３と、送話音声を集音するマイクロホン部４と、発着信電話番号、送信元，送信先となるユーザの名前、電話や携帯メールの発着信履歴、電話帳，アドレス帳、スケジュール帳の他、送受信した携帯メールの文章等を表示する表示部５と、入力操作を行うための複数のキーが設けられた操作部６と、電話や携帯メールの発着信等を光でユーザに知らせるための発光部７（ＬＥＤ）とを有している。
【００１９】
また、この携帯電話機は、所望の被写体の静止画及び動画を撮像するためのカメラ部８と、電話や携帯メールの発着信等を当該携帯電話機を振動させてユーザに知らせるためのバイブレーションユニット９と、当該携帯電話機に対して着脱自在な外部メモリ１１に対する電気的接続を図るための外部メモリインターフェイス１０（外部メモリＩＦ）とを有している。
【００２０】
また、この携帯電話機は、外部のリーダライタ装置との間で非接触通信を行うことで、電子財布機能や定期券機能等を実現する非接触ＩＣカード１２と、上記電話帳、アドレス帳、送受信した携帯メールの文章情報等の他、上記基地局との間の通信制御を行うためのコミュニケーションプログラムや、上記非接触ＩＣカード１２の動作の管理及び制御を行うための非接触ＩＣ管理プログラム等が記憶されたメモリ１３と、当該携帯電話機全体の動作を制御する制御部１４とを有している。
【００２１】
非接触ＩＣカード１２は、リーダライタ装置との間でデータの送受信を行う非接触ＩＣアンテナ１５と、電子マネー情報や定期券情報等が記憶されたメモリ１６と、当該携帯電話機の制御部１４との間で通信を行いながら非接触ＩＣカード１２全体の動作を制御する制御部１７とを有している。
【００２２】
次に図２に当該携帯電話機の外観を示す。この図２は、当該携帯電話機を側面側から見た図であり、内部に設けられている一部の機器が透視したかたちで図示されている。この図２からわかるように、この実施の形態の携帯電話機は、上筐体２１及び下筐体２２の一端部同士をヒンジ機構２３により回動自在に接続した、いわゆる折り畳み式の携帯電話機となっている。
【００２３】
この折り畳み式の携帯電話機を閉操作すると（折り畳むと）、上筐体２１の表示部５が設けられた面部２１ａと下筐体２２の操作部６が設けられた面部２２ａとが相対向するかたちで突き合わされ、当該携帯電話機の全長が略半分程度の長さとなる。また、この折り畳み式の携帯電話機を開操作すると、上筐体２１及び下筐体２２がヒンジ機構２３を回転軸として相互に回転移動する。この上筐体２１及び下筐体２２の回転移動は、上筐体２１及び下筐体２２の開成角度が略１８０度程度となった際に、ヒンジ機構２３に設けられている停止機構により停止制御され、当該携帯電話機が開状態となる。
【００２４】
下筐体２２の、上記操作部６が設けられている側の面部２２ａに対する反対側の面部２２ｂには、この下筐体２２に収納されるかたちで電源供給用の電池３０が設けられている。
【００２５】
上筐体２１の、上記ヒンジ機構２３が設けられている側の端部２１ｃには、該上筐体２１を端部２１ｃ側に延長するかたちで、上記基地局との間でデータの送受信を行う無線通信用アンテナ１が設けられている。
【００２６】
また、上筐体２１の、上記表示部５が設けられた面部２１ａに対する反対側の面部２１ｂには、この上筐体２１内に収納されるかたちで非接触ＩＣカード１２の非接触ＩＣアンテナ１５が設けられている。
【００２７】
また、上記無線通信用アンテナ１及び上記非接触ＩＣアンテナ１５は、相互に通信干渉を生じないように、所定の距離を置いて上記上筐体２１に設けられている。すなわち、この例では、非接触ＩＣアンテナ１５を上筐体２１内に収納するのに対して、無線通信用アンテナ１を上筐体２１の端部２１ｃから突出させるかたちで該上筐体２１に設けることで、各アンテナ１，１５の間に所定の距離を持たせ、相互に通信干渉を生じないようにしている。
【００２８】
〔非接触ＩＣアンテナの構成〕
図３に、上筐体２１に収納された非接触ＩＣアンテナ１５の斜視図を示す。この図３からわかるように、この非接触ＩＣアンテナ１５は、平板状のフレキシブル基板を略「コ」の字形状に切り欠き加工すると共に、この略「コ」の字形状の両腕部に相当する第１のアンテナエレメント３１を、第２のアンテナエレメント３２に対してそれぞれ略直角に折曲加工することで形成されている。
【００２９】
この各第１のアンテナエレメント３１及び第２のアンテナエレメント３２には、例えば銅箔部材等で形成された一連のアンテナパターンが形成されている。すなわち、各第１のアンテナエレメント３１に形成されているアンテナパターンと、第２のアンテナエレメント３２に形成されているアンテナパターンとは電気的かつ物理的に接続されることで一つのアンテナパターンを形成しており、この第１のアンテナエレメント３１に形成されているアンテナパターン及び第２のアンテナエレメント３２に形成されているアンテナパターンで、当該非接触ＩＣアンテナ１５の一つのアンテナパターンを形成している。
【００３０】
このような非接触ＩＣアンテナ１５は、上筐体２１に収納される際、各第１のアンテナエレメント３１が上筐体２１の面部２１ｂの短手方向に沿って配置され、第２のアンテナエレメント３２が、この上筐体２１の面部２１ｂに隣接する面部である、右側面部或いは左側面部に沿って配置されるようになっている。すなわち、非接触ＩＣアンテナ１５は、上筐体２１内に立体的（三次元的）に設けられている。
【００３１】
図４に、当該携帯電話機を閉状態とした場合における、上筐体２１に配置された非接触ＩＣアンテナ１５と、下筐体２２に収納されている電池３０との位置関係を示す。この図４からわかるように、閉状態とした当該携帯電話機を厚さ方向（＝図４の紙面に対する垂直方向）から見た場合、上筐体２１の面部２１ｂに沿って配置されている非接触ＩＣアンテナ１５の第１のアンテナエレメント３１は、下筐体２２に収納されている電池３０に重なり合う位置関係となり、上筐体２１の側面部に沿って配置されている非接触ＩＣアンテナ１５の第２のアンテナエレメント３２は、上筐体２１に設けられている表示部５及び下筐体２２に収納されている電池３０との重なりを回避する位置関係となる。
【００３２】
〔非接触通信機能〕
このように非接触ＩＣアンテナ１５を、上筐体２１内に立体的（三次元的）に設けることで、リーダライタ装置に対して当該携帯電話機をどのように翳しても、該リーダライタ装置と非接触ＩＣカード１２との間の良好な通信が可能となる。
【００３３】
まず、当該携帯電話機を開状態或いは閉状態として、上筐体２１の面部２１ｂをリーダライタ装置に近づけた場合、この上筐体２１の面部２１ｂに設けられた非接触ＩＣアンテナ１５の第１のアンテナエレメント３１が機能する。これにより、リーダライタ装置と非接触ＩＣカード１２との間で良好な通信が可能となる。
【００３４】
次に、当該携帯電話機を開状態或いは閉状態として、第２のアンテナエレメント３２が右側面部に設けられている場合は上筐体２１の右側面部を、或いは第２のアンテナエレメント３２が左側面部に設けられている場合は上筐体２１の左側面部をリーダライタ装置に近づけた場合、この上筐体２１の側面部に設けられた非接触ＩＣアンテナ１５の第２のアンテナエレメント３２が機能する。これにより、リーダライタ装置と非接触ＩＣカード１２との間で良好な通信が可能となる。
【００３５】
次に、当該携帯電話機を開状態として、上筐体２１の表示部５が設けられている側の面部２１ａをリーダライタ装置に近づけた場合、及び当該携帯電話機を閉状態として、下筐体２２の電池３０が設けられている側の面部２２ｂをリーダライタ装置に近づけた場合、上述のように上筐体２１に設けられている表示部５及び下筐体２２に収納されている電池３０との重なりを回避する位置関係にある上記第２のアンテナエレメント３２が機能する。これにより、リーダライタ装置と非接触ＩＣカード１２との間で良好な通信が可能となる。
【００３６】
〔試作実験結果〕
図５は、本願発明の出願人が本発明を適用した当該実施の形態の携帯電話機を試作し、下筐体２２の電池３０が収納されている側の面部２２ｂをリーダライタ装置に近づけた場合における通信距離（裏面通信距離）と、非接触ＩＣアンテナの共振周波数との関係を示したグラフである。この図５は、縦軸が上記裏面通信距離（ｍｍ）、横軸が上記共振周波数（ＭＨｚ）をそれぞれ示している。
【００３７】
また、この図５は、点線のグラフが、上筐体２１の面部２１ｂに対してのみ非接触ＩＣアンテナのアンテナエレメントを設けた場合のグラフであり（＝上筐体２１の面部２１ｂに対して２次元的にアンテナエレメントを設けた場合のグラフであり）、実線のグラフが、上筐体２１の面部２１ｂに上記非接触ＩＣアンテナ１５の第１のアンテナエレメント３１を設けると共に、上筐体２１の側面部に上記非接触ＩＣアンテナ１５の第２のアンテナエレメント３２を設けた場合のグラフである（＝上筐体２１に対して３次元的にアンテナエレメントを設けた場合のグラフである。）。
【００３８】
この図５からわかるように、共振周波数が１３．６ＭＨｚのアンテナエレメントを上筐体２１に対して２次元的に設けた場合、点線のグラフからわかるように裏面通信距離は７４ｍｍであったが、共振周波数が１３．６ＭＨｚのアンテナエレメントを上筐体２１に対して３次元的に設けると、上記第２のアンテナエレメント３２が機能することで、実線のグラフからわかるように裏面通信距離が７８ｍｍとなり、裏面通信距離を５ｍｍ程度延長することに成功した。
【００３９】
［第１の実施の形態の効果］
以上の説明から明らかなように、この第１の実施の形態の携帯電話機は、非接触ＩＣカード１２の非接触ＩＣアンテナ１５を、当該非接触ＩＣアンテナ１５の第１のアンテナエレメント３１と第２のアンテナエレメント３２とが互いに直行するかたちの立体的な形状とし、第１のアンテナエレメント３１を上筐体２１の、表示部５が設けられた面部２１ａと相対向する面部２１ｂに設け、第２のアンテナエレメント３２を上筐体２１の左右いずれかの側面部に設けることで、
１．当該携帯電話機を開状態或いは閉状態として、上筐体２１の面部２１ｂをリーダライタ装置に近づけた場合、
２．当該携帯電話機を開状態或いは閉状態として、第２のアンテナエレメント３２が設けられている側面部をリーダライタ装置に近づけた場合、
３．当該携帯電話機を開状態として、上筐体２１の表示部５が設けられている側の面部２１ａをリーダライタ装置に近づけた場合、
４．当該携帯電話機を閉状態として、下筐体２２の電池３０が設けられている側の面部２２ｂをリーダライタ装置に近づけた場合、
のいずれの場合もリーダライタ装置との間で良好な通信を可能とすることができる。
【００４０】
すなわち、非接触ＩＣカード１２を定期券や買い物等の決済に使用する場合、当該携帯電話機を閉状態としたままリーダライタ装置に近づけて使用するの一般的であるが、当該携帯電話機の場合、図２に示す表示部５の反対側の面部２１ｂをリーダライタ装置に近づけた場合は勿論のこと、下筐体２２の電池３０が収納されている側の面部２２ｂをリーダライタ装置に近づけた場合、及び第２のアンテナエレメント３２が設けられている側面部をリーダライタ装置に近づけた場合、いずれの場合でもリーダライタ装置との間で良好な通信を可能とすることができる。
【００４１】
このように当該携帯電話機は、リーダライタ装置に対して略々どのような翳し方をしても、該リーダライタ装置と非接触ＩＣカード１２との間で良好な通信を可能とすることができる。従って、ユーザは、リーダライタ装置に対する当該携帯電話機の翳し方を気にすることなく、当該携帯電話機を定期券や買い物等の決済に使用することができる。
【００４２】
なお、この例では、上筐体２１のいずれかの側面部に対して非接触ＩＣアンテナ１５の第２のアンテナエレメント３２を設けることとしたが、上筐体２１の一方の側面部に沿って第２のアンテナエレメント３２を設け、上筐体２１の他方の側面部に沿って第３のアンテナエレメントを設けるようにしてもよい。この場合、上筐体２１の両方の側面部にアンテナエレメントが設けられているため、リーダライタ装置との間の通信をさらに良好なものとすることができる。
【００４３】
また、非接触ＩＣアンテナ１５を上筐体２１に設けることとしたが、非接触ＩＣアンテナ１５を下筐体２２に設けるようにしてもよい。この場合でも、上述と同様の効果を得ることができる。
【００４４】
［第２の実施の形態］
次に、本発明を適用した第２の実施の形態となる携帯電話機の説明をする。上述の第１の実施の形態は、本発明を折り畳み式の携帯電話機に適用した例であったが、この第２の実施の形態は、本発明をストレート形状（スティック形状）の携帯電話機に適用した例である。また、上述の第１の実施の形態は、非接触ＩＣアンテナ１５のアンテナエレメントを、上筐体２１の反表示部５側の面部２１ｂ及び左右いずれかの側面部に設ける３次元構成としたが、この第２の実施の形態は、非接触ＩＣアンテナ１５のアンテナエレメントを、上筐体２１の反表示部５側の面部２１ｂ、左右両方の側面部、及び上下両方の面部に設ける３次元構成とした例である。
【００４５】
なお、この第２の実施の形態の携帯電話機は、この点のみが上述の第１の実施の形態の携帯電話機と異なる。このため、以下の第２の実施の形態の携帯電話機の説明では、この差異の説明のみ行い重複説明は省略することとする。
【００４６】
〔第２の実施の形態の携帯電話機の非接触ＩＣアンテナの構成〕
この第２の実施の形態の携帯電話機の非接触ＩＣアンテナ１５は、図６に示すように、当該第２の実施の形態の携帯電話機のストレート形状の筐体の反表示部側の面部の短手方向に沿って配置される一対の第１のアンテナエレメント３１と、上記筐体の右側面部に沿って配置される第２のアンテナエレメント３２と、上記筐体の左側面部に沿って配置される第３のアンテナエレメント３３と、上記筐体の上面部に沿って設けられる第４のアンテナエレメント３４と、上記筐体の下面部に沿って設けられる第５のアンテナエレメント３５とを有している。
【００４７】
なお、この例では、上記筐体の上面部に対して第４のアンテナエレメント３４を設け、上記筐体の下面部に沿って第５のアンテナエレメント３５を設けることとしたが、上記上面部及び下面部のうち、いずれか一方にのみアンテナエレメントを設けるようにしてもよい。
【００４８】
上記筐体の短手方向に沿って配置される一対の第１のアンテナエレメント３１は、各アンテナエレメント３１の間に所定の距離をおいて、かつ、各アンテナエレメント３１が平行の位置関係となっている。第２のアンテナエレメント３２は、一方の第１のアンテナエレメント３１の一方の短手方向の端部から、他方の第１のアンテナエレメント３１の一方の短手方向の端部にかけて設けられており、各第１のアンテナエレメント３１の形成方向に対して直行する方向に立設されている。同様に、第３のアンテナエレメント３３は、一方の第１のアンテナエレメント３１の他方の短手方向の端部から、他方の第１のアンテナエレメント３１の他方の短手方向の端部にかけて設けられており、各第１のアンテナエレメント３１の形成方向に対して直行する方向に立設されている。
【００４９】
また、第４のアンテナエレメント３４は、一方の第１のアンテナエレメント３１の長手方向の端部から、該各第１のアンテナエレメント３１の形成方向に対して直行する方向に立設されており、同様に、第５のアンテナエレメント３５は、他方の第１のアンテナエレメント３１の長手方向の端部から、該各第１のアンテナエレメント３１の形成方向に対して直行する方向に立設されている。これにより、非接触ＩＣアンテナ１５は、長方形の略箱形形状を有するように形成されている。
【００５０】
これら各アンテナエレメント３１〜３５は、フレキシブル基板により一体的に形成されており、該各アンテナエレメント３１〜３５には、例えば銅箔部材等で形成された一連のアンテナパターンが形成されている。すなわち、各アンテナエレメント３１〜３５に形成されているアンテナパターンは、それぞれ電気的かつ物理的に接続されることで、当該非接触ＩＣアンテナ１５の一つのアンテナパターンを形成している。
【００５１】
図７及び図８に、ストレート形状の筐体５０内に設けられた非接触ＩＣアンテナ１５を示す。このうち、図７は、上記筐体５０を長手方向に沿って切断し、表示部５が設けられている側から当該筐体５０内を見た図、図８は、上記筐体５０を短手方向に沿って切断し、この切断面側から該筐体５０内を見た図である。
【００５２】
この図７及び図８からわかるように、この非接触ＩＣアンテナ１５は、第１のアンテナエレメント３１を筐体５０の電池３０が設けられている側の面部（＝上記反表示部５側の面部）に沿って配置すると共に、第２〜第５のアンテナエレメント３２〜３５を、筐体５０の右側面部、左側面部、上面部及び下面部に沿ってそれぞれ配置するかたちで該筐体５０内に立体的に（３次元的に）設けられている。
【００５３】
なお、この第２の実施の形態の携帯電話機の場合、一例として図７に示すように無線通信用アンテナ１としてホイップアンテナが設けられているが、このホイップアンテナ及び上記非接触ＩＣアンテナ１５は、相互に通信干渉を生じないように所定の距離を置いて筐体５０にそれぞれ設けられている。
【００５４】
〔非接触通信機能〕
このように非接触ＩＣアンテナ１５を、上記筐体５０内に立体的（３次元的）に設けることで、リーダライタ装置に対して当該第２の実施の形態の携帯電話機をどのように翳しても、該リーダライタ装置と非接触ＩＣカード１２との間の良好な通信が可能となる。
【００５５】
すなわち、筐体５０の反表示部５０側の面部をリーダライタ装置に近づけた場合、図８に示すようにこの面部に設けられた非接触ＩＣアンテナ１５の第１のアンテナエレメント３１が機能し、リーダライタ装置と非接触ＩＣカード１２との間の良好な通信を可能とする。
【００５６】
同様に、当該携帯電話機の右側面部をリーダライタ装置に近づけた場合、図８に示すように、この右側面部に設けられた非接触ＩＣアンテナ１５の第２のアンテナエレメント３２が機能し、リーダライタ装置と非接触ＩＣカード１２との間の良好な通信を可能とする。
【００５７】
同様に、当該携帯電話機の左側面部をリーダライタ装置に近づけた場合、図８に示すように、この左側面部に設けられた非接触ＩＣアンテナ１５の第３のアンテナエレメント３３が機能し、リーダライタ装置と非接触ＩＣカード１２との間の良好な通信を可能とする。
【００５８】
同様に、当該携帯電話機の上記ホイップアンテナが設けられている側の面部である上面部をリーダライタ装置に近づけた場合、図６及び図７に示す非接触ＩＣアンテナ１５の第４のアンテナエレメント３４が機能する。これにより、リーダライタ装置と非接触ＩＣカード１２との間で良好な通信が可能となる。
【００５９】
同様に、当該携帯電話機の上記ホイップアンテナが設けられている側の面部に対して反対側の面部となる下面部をリーダライタ装置に近づけた場合、図６及び図７に示す非接触ＩＣアンテナ１５の第５のアンテナエレメント３５が機能し、リーダライタ装置と非接触ＩＣカード１２との間の良好な通信を可能とする。
【００６０】
さらに、当該携帯電話機の表示部５側の面部をリーダライタ装置に近づけた場合、図６〜図８に示す非接触ＩＣアンテナ１５の第２〜第４のアンテナエレメント３２〜３５が機能し、リーダライタ装置と非接触ＩＣカード１２との間の良好な通信を可能とする。
【００６１】
［第２の実施の形態の効果］
以上の説明から明らかなように、この第２の実施の形態の携帯電話機は、非接触ＩＣカード１２の非接触ＩＣアンテナ１５を、ストレート形状の筐体５０の背面部（＝反表示部５側の面部）、右側面部、左側面部、上面部、下面部にそれぞれ沿って配置される第１〜第５のアンテナエレメント３１〜３５により一体的に形成し、これを上記筐体５０内に立体的に配置することにより、リーダライタ装置に対して当該第２の実施の形態の携帯電話機をどのように翳しても、該リーダライタ装置と非接触ＩＣカード１２との間の良好な通信を可能とすることができる他、上述の第１の実施の形態の携帯電話機と同じ効果を得ることができる。
【００６２】
［変形例］
上述の実施の形態の説明では、本発明を携帯電話機に適用することとしたが、本発明はこの他、ＰＨＳ電話機（PHS：Personal Handyphone System）、ＰＤＡ装置（PDA：Personal Digital Assistant），ノート型のパーソナルコンピュータ装置等の他の携帯端末装置に適用してもよい。また、本発明を、カード型の非接触通信装置に適用してもよい。この場合、上述の各アンテナエレメント３１〜３５は、カード型の筐体内に立体的に配置されることとなるため、上述と同様の効果を得ることができる。
【００６３】
最後に、上述の各実施の形態は、あくまでも本発明の一例として開示したに過ぎない。このため、本発明は、上述の各実施の形態に限定されることはなく、上述の各実施の形態以外であっても、本発明に係る技術的思想を逸脱しない範囲であれば、設計等に応じて種々の変更が可能であることは勿論であることを付け加えておく。
【図面の簡単な説明】
【００６４】
【図１】本発明を適用した第１の実施の形態となる携帯電話機のブロック図である。
【図２】折り畳み式の第１の実施の形態の携帯電話機を略開状態とした際の側面図である。
【図３】第１の実施の形態の携帯電話機に設けられている非接触ＩＣカードの非接触ＩＣアンテナの斜視図である。
【図４】折り畳み式の第１の実施の形態の携帯電話機を閉状態とした場合において、電池が収納されている下筐体側から、上筐体内に設けられている非接触ＩＣアンテナを見た図である。
【図５】第１の実施の形態の携帯電話機を試作実験することで得られた裏面通信距離の向上を説明するための図である。
【図６】本発明を適用した第２の実施の形態の携帯電話機に設けられている非接触ＩＣカードの非接触ＩＣアンテナの斜視図である。
【図７】ストレート形状の第２の実施の形態の携帯電話機内に立体的に配置された非接触ＩＣアンテナを示す図である。
【図８】筐体のどの面部を翳してもリーダライタ装置との間の通信が可能となることを説明するための、第２の実施の形態の携帯電話機の横断面図である。
【符号の説明】
【００６５】
１  無線通信用アンテナ、２  通信回路、３  スピーカ部、４  マイクロホン部、５  表示部、６  操作部、７  発光部７（ＬＥＤ）、８  カメラ部、９  バイブレーションユニット、１０  外部メモリインターフェイス（外部メモリＩＦ）、１１  外部メモリ、１２  非接触ＩＣカード、１３  メモリ、１４  制御部、１５  非接触ＩＣアンテナ、１６  非接触ＩＣカードのメモリ、１７  非接触ＩＣカードの制御部、２１  上筐体、２２  下筐体、２３  ヒンジ機構、３０  電池、３１  非接触ＩＣアンテナの第１のアンテナエレメント、３２  非接触ＩＣアンテナの第２のアンテナエレメント、３３  非接触ＩＣアンテナの第３のアンテナエレメント、３４  非接触ＩＣアンテナの第４のアンテナエレメント、３５  非接触ＩＣアンテナの第５のアンテナエレメント、５０  筐体
【図１】
2007034390.tif 000003
【図２】
2007034390.tif 000004
【図３】
2007034390.tif 000005
【図４】
2007034390.tif 000006
【図５】
2007034390.tif 000007
【図６】
2007034390.tif 000008
【図７】
2007034390.tif 000009
【図８】
2007034390.tif 000010